(57)【要約】      （修正有）【課題】極めて簡単な構成で、ボール載せを所望の角度に傾けて使用することができるゴルフティーを提供する。【解決手段】ベースシャフト１１の上部１３と、ボール載せ部１２の直下部１４との間が、ベースシャフトの軸方向１５に対して斜め交差方向に切断され、ベースシャフト上部の上面に接続用上対向面１７が形成され、ボール載せ部の直下部下面に接続用下対向面１８が形成されている。上対向面１７と下対向面１８は、各面の中心に、各面に対して垂直方向に差し込まれた接続ピン１９で連結されている。ベースシャフトに対してボール載せ部が、接続ピンを中心に回動可能であって、ベースシャフトの軸方向１５に対してボールの載せ面２０の角度が変化可能になっている。【選択図】図１
0003185260.tif 000002
【実用新案登録請求の範囲】
【請求項１】
下端が尖った棒状のベースシャフトと、ベースシャフトの上端に形成されたボール載せ部とを有するゴルフティーであって、
前記ベースシャフトの上部と、前記ボール載せ部の直下部との間が、前記ベースシャフトの軸方向に対して斜め交差方向に切断され、前記ベースシャフトの上部の上面に接続用上対向面が形成され、前記ボール載せ部の直下部の下面に接続用下対向面が形成されていて、
前記接続用上対向面と接続用下対向面とは、各面の中心に、各面に対して垂直方向に差し込まれた接続ピンで連結されており、
前記ベースシャフトに対して前記ボール載せ部が、前記接続ピンを中心に回動可能であって、前記ベースシャフトの軸方向に対して前記ボール載せ部の載せ面の角度が変化可能になっていることを特徴とする、ゴルフティー。
【請求項２】
前記ベースシャフトは、
中心軸部を形成する弾力性のあるコア材と、このコア材の外周を覆う樹脂製の外装材とを含み、
前記ボール載せ部は、円盤状の基部と、基部の上周縁から斜め上方へ放射状に突出する多数のボール受け突起とを有し、
前記接続ピンは、切断されたコア材の上面の中心と、下面の中心とに差し込まれていることを特徴とする、請求項１記載のゴルフティー。
【考案の詳細な説明】
【技術分野】
【０００１】
この考案は、ゴルフプレイにおいて、ティーショットの際に使用するゴルフティーに関する。
【背景技術】
【０００２】
ゴルフボールをティーアップして打ち出す際に、ティーを前方へ傾けることが流行りつつある。そのような流行に即した前傾ティーが販売されている（非特許文献１）。
一方、ゴルフティーにおいて、その途中部を曲げられるようにした構造の先行技術は、特許文献１や特許文献２に開示されている。
【先行技術文献】
【特許文献】
【０００３】
【特許文献１】特開２０１１−１４３０２４号公報
【特許文献２】特表２００５−５２８１５０号公報
【非特許文献】
【０００４】
【非特許文献１】ｈｔｔｐ：／／ｉｔｅｍ．ｒａｋｕｔｅｎ．ｃｏ．ｊｐ／ｇｂａｓｅ／ｓａｔ−００２３／
【考案の概要】
【考案が解決しようとする課題】
【０００５】
特許文献１に記載のゴルフティーや、特許文献２の図２４〜図３０およびその説明に開示されたゴルフ用ティーは、いずれも、ゴルフティーのシャフトを折り曲げ可能にするための構造が複雑であり、高価なものになるという課題がある。また、ゴルフティーを所望の角度に傾けて使用する際に、簡易に使用できないという課題もある。
この考案は、このような従来技術を背景にしてなされたものであり、ゴルフティーを前方に傾けた斜め状態で使用したい場合に、極めて簡単な構成で、係る使用態様にゴルフティーの形状を変態できるゴルフティーを提供することを主たる目的とする。
【課題を解決するための手段】
【０００６】
請求項１に係る考案は、下端が尖った棒状のベースシャフトと、ベースシャフトの上端に形成されたボール載せ部とを有するゴルフティーであって、前記ベースシャフトの上部と、前記ボール載せ部の直下部との間が、前記ベースシャフトの軸方向に対して斜め交差方向に切断され、前記ベースシャフトの上部の上面に接続用上対向面が形成され、前記ボール載せ部の直下部の下面に接続用下対向面が形成されていて、前記接続用上対向面と接続用下対向面とは、各面の中心に、各面に対して垂直方向に差し込まれた接続ピンで連結されており、前記ベースシャフトに対して前記ボール載せ部が、前記接続ピンを中心に回動可能であって、前記ベースシャフトの軸方向に対して前記ボール載せ部の載せ面の角度が変化可能になっていることを特徴とする、ゴルフティーである。
【０００７】
請求項２に係る考案は、前記ベースシャフトは、中心軸部を形成する弾力性のあるコア材と、このコア材の外周を覆う樹脂製の外装材とを含み、前記ボール載せ部は、円盤状の基部と、基部の上周縁から斜め上方へ放射状に突出する多数のボール受け突起とを有し、前記接続ピンは、切断されたコア材の上面の中心と、下面の中心とに差し込まれていることを特徴とする、請求項１記載のゴルフティーである。
【考案の効果】
【０００８】
この考案によれば、真っ直ぐに立てた状態でゴルフボールをティーアップして使用することができるとともに、プレイヤーが望む際には、ゴルフティーを斜めに傾けた状態でゴルフボールのティーアップができる極めて簡単な構成のゴルフティーを提供することができる。それゆえ、安価で、プレイヤーの要求に合わせて、形態を変態させることのできるゴルフティーを提供することができる。
【図面の簡単な説明】
【０００９】
【図１】図１は、この考案の一実施形態に係るゴルフティーの構成を示す一部断面で示す構成図である。
【図２】図２は、この考案の一実施形態に係るゴルフティーの分解斜視図である。
【図３】図３は、この考案の一実施形態に係るゴルフティーを、真っ直ぐな態様（図３（Ａ））および斜めに傾けた態様（図３（Ｂ））に変態させた様子を示す図である。
【図４】図４は、ゴルフティーを真っ直ぐな状態にしてゴルフボールをティーアップした状態（図４（Ａ））、および、ゴルフティーを前傾させてゴルフボールをティーアップした状態（図４（Ｂ））を示す図である。
【図５】図５は、この考案の他の実施形態に係るゴルフティー４０を示す図である。
【考案を実施するための形態】
【００１０】
以下には、図面を参照して、この考案の実施形態について具体的に説明をする。
図１は、この考案の一実施形態に係るゴルフティー１０の構成を示す図で、一部断面で示されている。また、図２は、この考案の一実施形態に係るゴルフティー１０の分解斜視図である。
図１および図２を参照して、ゴルフティー１０は、下端が尖った棒状のベースシャフト１１と、ベースシャフト１１の上端に形成されたボール載せ部１２とを有する。ベースシャフト１１の上部１３と、ボール載せ部１２の直下部１４との間には、ベースシャフト１１の軸方向１５に対して斜め交差方向に切断された切断面１６が形成されている。軸方向１５と切断面１６との角度は、１５°〜２５°程度となるようにすればよく、好ましくは１８°〜２０°の角度がよい。
【００１１】
そして、それにより、ベースシャフト１１の上部１３の上面には、接続用上対向面１７が形成されている。また、ボール載せ部１２の直下部１４の下面には、接続用下対向面１８が形成されている。
接続用上対向面１７と、接続用下対向面１８とは、各面の中心に、各面に対して垂直方向に差し込まれた接続ピン１９が設けられ、当該接続ピン１９で両面が連結されている。
【００１２】
それゆえ、ベースシャフト１１に対して、ボール載せ部１２は、接続ピン１９を中心に、接続用上対向面１７と接続用下対向面１８とが当接した状態で回動可能である。そして、ベースシャフト１１の軸方向１５に対してボール載せ部１２の載せ面２０が直角に交差した態様から所定の角度傾いて交差した態様へ変化可能にされている。
ベースシャフト１１は、中心軸部を形成する弾力性のあるコア材２１と、コア材２１の外周を覆う樹脂製の外装材２２とを有する。コア材２１および外装材２２の上端部は、ボール載せ部１２を構成している。
【００１３】
ボール載せ部１２は、外装材２２の上部に連成された円盤状の基部２３と、基部２３の上周縁部から斜め上方へ放射状に突出する多数のボール受け突起２４とを有している。
切断面１６は、ベースシャフト１１の上部１３と、ボール載せ部１２の直下部１４との間において、ベースシャフト１１の軸方向１５に対して斜め交差方向に形成されている。それゆえ、ボール載せ部１２側においては、下対向面１８に、コア材２１の上部と、それを取り囲む外装材２２の上部とが、同心円状に表われている。
【００１４】
そして、接続ピン１９は、上対向面１７の中心にあるコア材２１に差し込まれ、下対向面１８の中心にあるコア材２１に差し込まれているので、弾力性のあるコア材２１に接続ピン１９を差し込みやすく、かつ、差し込まれた接続ピン１９ががたつくことはない。
ゴルフティー１０は、以上のような構成であるから、図３（Ａ）に示すように、真っ直ぐに延びる通常のゴルフティーの態様として使用することができる。
【００１５】
また、図３（Ｂ）に示すように、ベースシャフト１１に対してボール載せ部１２を回動させ、ベースシャフト１１に対してボール載せ部１２が斜め側方へ傾いた態様に変態させることができる。
ゴルフティー１０において、ベースシャフト１１に対するボール載せ部１２の回動による変態は、中心部に垂直に差し込まれた接続ピン１９を中心に、上対向面１７および下対向面１８が回動するので、極めてスムーズに、かつ回動角度に応じて所望の傾きになるように変態させることができる。
【００１６】
図４（Ａ）は、図３（Ａ）に示す態様のゴルフティー１０を用いてゴルフボール３０をティーアップした状態の図である。
図４（Ｂ）は、図３（Ｂ）に示す態様に変態させたゴルフティー１０を用いて、ゴルフボール３０をティーアップした状態の図である。
図４（Ａ）（Ｂ）に示すように、この考案に係るゴルフティー１０を用いると、ベースシャフト１１に対してボール載せ部１２を回動させることにより、通常の垂直上方へゴルフティー１０を立ち上げた状態でゴルフボール３０をティーアップできる。あるいは、プレイヤーが望む場合に、ゴルフティー１０を変態させ、ベースシャフト１１を斜めに地面に突き刺し、ゴルフボール３０をティーアップした状態で使用することができる。
【００１７】
この考案は、以上説明した実施形態に限定されるものではない。
たとえば、上記説明では、ベースシャフト１１は、コア材２１およびそれを取り囲む外装材２２から出来ている旨説明したが、ゴルフティー１０全体が、たとえば木製であってもよい。より具体的には、図５に示すように、全体が木製のゴルフティー４０に対し、ベースシャフト１１の上部と、ボール載せ部１２の直下部との間に、斜めの切断面１６を形成し、当該斜めの切断面１６によって、ベースシャフト１１の上部１３の上面に接続用上対向面１７が形成され、ボール載せ部１２の直下部１４の下面に接続用下対向面１８が形成された構成とし、両者間を、接続ピン１９で連結した構成としてもよい。この場合においても、接続用上対向面１７と接続用下対向面１８とを、各面の中心に垂直方向に差し込まれた接続ピン１９で連結することにより、この考案に係るゴルフティー４０とすることができる。
【００１８】
その他、この考案は、請求項記載の範囲内において種々の変更が可能である。
【符号の説明】
【００１９】
１０，４０    ゴルフティー
１１    ベースシャフト
１２    ボール載せ部
１３    上部
１４    直下部
１５    軸方向
１６    切断面
１７    上対向面
１８    下対向面
１９    接続ピン
２０    載せ面
２１    コア材
２２    外装材
【図１】
0003185260.tif 000003
【図２】
0003185260.tif 000004
【図３】
0003185260.tif 000005
【図４】
0003185260.tif 000006
【図５】
0003185260.tif 000007